(57)【要約】【課題】商品の陳列姿勢に悪影響を及ぼさず、商品仕切り板の振れが少なく、設置安定性に優れ、且つ最前列の陳列商品を見易くする商品仕切り装置を提供すること。【解決手段】断面がＩ字形状の商品仕切り板１と、商品仕切り板１を商品仕切り板１の後方側で支持する左右方向に延出する右側面視がコ字形状の箱状枠体２と、からなり、箱状枠体２の前面部２２に、商品仕切り板１が貫通する第１縦スリット２７を左右方向に所定のピッチで多数付設し、上面部に商品仕切り板１の上縁が係合する第２縦スリット２８を第１縦スリット２７と相対する位置に該ピッチと同じピッチで多数付設した商品仕切り装置。【選択図】図１
0003126985.tif 000002
【実用新案登録請求の範囲】
【請求項１】
断面がＩ字形状の商品仕切り板と、
該商品仕切り板を該商品仕切り板の後方側で支持する左右方向に延出する右側面視がコ字形状の箱状枠体と、からなり、
該箱状枠体の前面部に、該商品仕切り板が貫通する第１縦スリットを左右方向に所定のピッチで多数付設し、上面部に、該商品仕切り板の上縁が係合する第２縦スリットを該第１縦スリットと相対する位置に該ピッチと同じピッチで多数付設したことを特徴とする商品仕切り装置。
【請求項２】
更に、下面部に、該商品仕切り板の下縁が係合する第３縦スリットを該第１縦スリットと相対する位置に該ピッチと同じピッチで多数付設したことを特徴とする請求項１記載の商品仕切り装置。
【請求項３】
該第１縦スリットと該第２縦スリットは、連続することなく、それぞれが独立のスリットであることを特徴とする請求項１記載の商品仕切り装置。
【請求項４】
該第１縦スリットと該第３縦スリットは、連続することなく、それぞれが独立のスリットであることを特徴とする請求項２記載の商品仕切り装置。
【請求項５】
該ピッチは、該第１縦スリットのスリット幅の略２倍である特徴とする請求項１記載の商品仕切り装置。
【請求項６】
該第１縦スリット内に、該第１縦スリットのスリット幅を狭めるような部分突起が形成されることを特徴とする請求項１記載の商品仕切り装置。
【請求項７】
該商品仕切り板を該箱状枠体に組み込んだ際、該商品仕切り板の該突起と対向する位置に、該突起と係合する凹部又は孔部を設けたことを特徴とする請求項６記載の商品仕切り装置。
【請求項８】
該商品仕切り板の後方側寄りには、上縁部が切り欠かれてくびれ状となっていることを特徴とする請求項１〜７のいずれか１項に記載の商品仕切り装置。
【請求項９】
該第１縦スリットを形成する両側縦部材の角部にアールをつけることで、該第１縦スリットの入口側開口部がやや広くなっていることを特徴とする請求項１〜８のいずれか１項に記載の商品仕切り装置。
【請求項１０】
該箱状枠体の裏面には、マグネットが付設されることを特徴とする請求項１〜９のいずれか１項に記載の商品仕切り装置。
【考案の詳細な説明】
【技術分野】
【０００１】
本考案は、商品仕切り板の振れが少なく、設置安定性に優れ、且つ陳列商品を見易くする商品仕切り装置に関するものである。
【背景技術】
【０００２】
スーパーマーケットやドラッグストア等の陳列棚に陳列される陳列商品の仕切りに用いられる陳列棚用商品仕切り板は、概ね仕切り板本体の断面がＩ字形状のものと、Ｌ字形状のものがある。Ｉ字形状のものとしては、図８に示すように、棚板本体８１の前端面に取り付けられた陳列棚用表示具８２の係合溝８０に係合する係合部７０１と棚板の奥行き寸法にほぼ等しい一定の長さ寸法を有するＩ字断面形状の商品仕切部７０２とから形成される商品仕切り板がある。また、陳列棚用表示具８２を取り付けない場合、係合部７０１は棚板本体８１の前端面に形成される係合溝８３に係合するように取り付けられる。この陳列棚用商品仕切板７０は係合部７１を高さ方向に大きくした商品転落防止板を設けて傾斜型陳列棚に使用することもできる。しかし、この場合、係合部７０１が最前列の商品の下方を隠すようになるため、顧客側から最前列の陳列商品が見難いという問題がある。また、この陳列棚用商品仕切板７０は左右方向に外力が作用すると、振れや暴れが生じるため、商品の陳列作業や商品の抜き取りが行い難いという問題がある。
【０００３】
断面がＩ字形状の商品仕切り板の他の例としては、前後に長い矩形状の断面がＩ字形状の極めてシンプルな商品仕切り板を、棚板に固定された前方支持部の縦溝と後方支持部の縦溝に前後端部をそれぞれ係合させて設置し、使用するものがある。この商品仕切り板は設置安定性が高いものの、前方支持部が最前列の陳列商品の下方を隠してしまうという問題がある。
【０００４】
一方、断面がＬ字形状の商品仕切り板は、そのままで自立するため、該商品仕切り板を支持する前方支持部材が不要であり、最前列の陳列商品の下方を隠してしまうという問題は発生しない。しかしながら、Ｌ字の水平部に相当する設置面と当接する水平基板はある程度の厚みがあるため、設置面とで段差が生じる。このため、該水平基板の幅よりも大きな幅寸法を有する箱型商品を陳列する場合、箱型商品が段差の低い側に傾斜して鉛直姿勢がとれないという問題がある。
【考案の開示】
【考案が解決しようとする課題】
【０００５】
従って、本考案の目的は、商品の陳列姿勢に悪影響を及ぼさず、商品仕切り板の振れが少なく、設置安定性に優れ、且つ最前列の陳列商品を見易くする商品仕切り装置を提供することにある。
【課題を解決するための手段】
【０００６】
すなわち、本考案は、上記目的を達成するものであって、断面がＩ字形状の商品仕切り板と、該商品仕切り板を該商品仕切り板の後方側で支持する左右方向に延出する右側面視がコ字形状の箱状枠体と、からなり、該箱状枠体の前面部に、該商品仕切り板が貫通する第１縦スリットを左右方向に所定のピッチで多数付設し、上面部に、該商品仕切り板の上縁が係合する第２縦スリットを該第１縦スリットと相対する位置に該ピッチと同じピッチで多数付設した商品仕切り装置を提供し、また、本考案は、更に、下面部に、該商品仕切り板の下縁が係合する第３縦スリットを該第１縦スリットと相対する位置に該ピッチと同じピッチで多数付設したことを特徴とする請求項１記載の商品仕切り装置を提供し、また、本考案は、該第１縦スリットと該第２縦スリットは、連続することなく、それぞれが独立のスリットである前記商品仕切り装置を提供し、また、本考案は、第１縦スリットと該第３縦スリットは、連続することなく、それぞれが独立のスリットである前記商品仕切り装置を提供し、また、本考案は、該ピッチは、該第１縦スリットのスリット幅の略２倍である前記商品仕切り装置を提供し、また、本考案は、該第１縦スリット内に、該第１縦スリットのスリット幅を狭めるような部分突起が形成される商品仕切り装置を提供し、また、該商品仕切り板を該箱状枠体に組み込んだ際、該商品仕切り板の該突起と対向する位置に、該突起と係合する凹部又は孔部を設けた前記商品仕切り装置を提供し、また、本考案は、該商品仕切り板の後方側寄りには、上縁部が切り欠かれてくびれ状となっている前記商品仕切り装置を提供し、また、本考案は、該第１縦スリットを形成する両側縦部材の角部にアールをつけることで、該第１縦スリットの入口側開口部がやや広くなっている前記商品仕切り装置を提供し、また、本考案は、箱状枠体の裏面には、マグネットが付設される前記商品仕切り装置を提供するものである。
【考案の効果】
【０００７】
本考案によれば、コ字形状の箱状枠体は設置面の後方に安定して設置され、商品仕切り板は該箱状枠体の第１縦スリット及び第２縦スリット、第１縦スリット及び第３縦スリット、あるいは第１縦スリット〜第３縦スリットに係合して使用されるため、商品仕切り板の振れが少なく、設置安定性に優れる。また、商品仕切り板は設置面に設置する水平基板を省略したＩ字断面形状であるため、Ｌ字断面形状で問題となる商品の陳列姿勢に悪影響を及ぼさない。また、商品仕切り板は、前方の支持部材を不要とし、更にＰＯＳレール溝に係合する係合部などが不要であるため、最前列の陳列商品を見易くする。また、第１縦スリットの入口側開口部をやや広くすることで、商品仕切り板の挿入が格段に行い易くなる。
【考案を実施するための最良の形態】
【０００８】
本考案の実施の形態における商品仕切り装置を図１〜図７を参照して説明する。図１は本例の商品仕切り装置の斜視図、図２は図１の商品仕切り装置を構成する箱状枠体の拡大図、図３は図２の箱状枠体を裏から見た斜視図、図４は図２のＢ−Ｂ線に沿って見た部分断面図、図５は図２のＡ−Ａ線に沿って見た断面図、図６は箱状枠体に商品仕切り板を設置する状況を説明する図、図７は箱状枠体に商品仕切り板を設置した後の状態を示す図である。なお、明細書中、前後方向及び左右方向は顧客側から見た方向を言う。
【０００９】
商品仕切り装置１０は、断面がＩ字形状の商品仕切り板１と、商品仕切り板１を商品仕切り板１の後方側で支持する左右方向に延出する右側面視がコ字形状の箱状枠体２と、からなり、箱状枠体２の前面部２２に、商品仕切り板１が貫通する第１縦スリット２７を左右方向に所定のピッチで多数付設し、上面部２３に、商品仕切り板１の上縁１４が係合する第２縦スリット２８を第１縦スリット２７と相対する位置に第１縦スリット２７のピッチと同じピッチで多数付設し、下面部２１に、商品仕切り板１の下縁１５が係合する第３縦スリット２９を第１縦スリット２７と相対する位置に第１縦スリット２７のピッチと同じピッチで多数付設したものである。なお、相対する位置とは、箱状枠体の左右方向において同じ位置にあることを言う。
【００１０】
なお、本考案の商品仕切り装置における縦スリットは、上記形態の他、図１の商品仕切り装置１０において、第３縦スリット２９が省略された形態、あるいは第２縦スリット２８が省略された形態であってもよい。これらの場合、商品仕切り板１の係合位置が２箇所となるが、このような係合形態であっても商品仕切り板を暴れさせることなく強く固定できる。この場合、第３縦スリット２９が省略された下面部及び第２縦スリット２８が省略された上面部は、それぞれ平坦な平板となる。
【００１１】
箱状枠体２は、前面部２２、前面部２２の下端から後方へ延びる下面部２及び前面部２２の上端から後方へ延びる上面部２３とで形成される右側面視がコ字形状のものであり、左右両側には、側面板２４、２４が形成されている。側面板２４、２４は、箱状枠体２の内部の目隠しをすると共に、強度部材としても機能する。本考案においては、側面板２４、２４は任意の構成部材である。
【００１２】
前面部２２は、左右方向に連続する所定高さの上方縁部２２１と左右方向に連続する所定高さの下方縁部２２２と該両縁部間に形成される第１縦スリット２７を有している。第１縦スリット２７間のピッチｐは、第１縦スリット２７のスリット幅ｔの略２倍である（図４参照）。上方縁部２２１及び下方縁部２２２の上下方向における高さ寸法および前面部２２の厚さ（奥行き）寸法としては、箱状枠体１の強度を保持する範囲で適宜決定される。
【００１３】
また、第１縦スリット２７を形成する両側縦部材２７１の角部にアール２７２をつけることで、第１縦スリット２７の入口側開口部をやや広くしている。このように前面部２２に多数の第１縦スリット２７を形成させることにより、きめ細かな仕切りができる。また、第１縦スリット２７の入口側開口部をやや広くすることで、商品仕切り板１の挿入が格段に行い易くなる。また、第１縦スリット２７が多数あること、更に入口側開口部を広くしたことにより、商品仕切り板１を設置する作業者は、概ね、設置位置に目処をつけ、その近傍に商品仕切り板１を近づけた後は、第１縦スリット２７の正確な挿入位置を気にすることなく、容易に差し込むことができる。
【００１４】
第１縦スリット２７の幅（開口）は商品仕切り板１の幅寸法よりやや大きい程度であり、第１縦スリット２７の高さは、商品仕切り板１の高さよりやや高い程度である。これにより、箱状枠体２の高さを無闇に大きくすることなく、箱状枠体の強度を高めたものとすることができる。
【００１５】
第１縦スリット２７内であって上下方向の中央部分に、第１縦スリット２７のスリット幅ｔを狭めるように部分突起２６が形成されている。また、商品仕切り板１を箱状枠体２に組み込んだ際、商品仕切り板１の突起６と対向する位置には、突起６と係合する貫通孔部１１が形成されている。商品仕切り板１の貫通孔部１１の形態はこれに限定されず、貫通しない凹部であってもよい。第１縦スリット２７内の突起６と商品仕切り板１の貫通孔部１とにより、商品仕切り板１を箱状枠体２に組み込んだ際、両者は互いに係合するため、容易に外れることがなく、設置安定性が高まる。
【００１６】
箱状枠体２を構成する上面部２３は、言わば所定厚みを有する板状物に前方縁部２３１及び後方縁部２３２を残して、左右方向に所定のピッチで多数の第２縦スリット２８を形成したものである。第２縦スリット２８のスリット幅は、第１縦スリット２７のスリット幅と同じであり、第２縦スリット２８の長さ（奥行き長さ）は適宜決定される。第２縦スリット２８の長さが余り長が過ぎると、商品を陳列する前方の陳列面積が減少する。また、余り短過ぎると、商品仕切り板１の支持安定性が低下する。第１縦スリット２７と第２縦スリット２８は互いに繋がってはいない。すなわち、第１縦スリット２７と第２縦スリット２８を互いに繋げることなく、箱状枠体の骨部材となる角部材（上方縁部２２１、前方縁部２３１）を設けることで、箱状枠体１の強度を高めている。これにより、箱状枠体１への商品仕切り板２の設置安定性が顕著に向上する。
【００１７】
箱状枠体２を構成する下面部２１は、言わば所定厚みを有する板状物に前方縁部２１１及び後方縁部２１２を残して、左右方向に所定のピッチで多数の第３縦スリット２９を形成したものである。第３縦スリット２９のスリット幅は、第１縦スリット２７のスリット幅と同じであり、第３縦スリット２９の長さ（奥行き長さ）は適宜決定される。第３縦スリット２９の長さが余り長が過ぎると、商品を陳列する前方の陳列面積が減少する。また、余り短過ぎると、商品仕切り板１の支持安定性が低下する。第１縦スリット２７と第３縦スリット２９は互いに繋がってはいない。すなわち、第１縦スリット２７と第３縦スリット２９を互いに繋げることなく、箱状枠体の骨部材となる角部材（下方縁部２２２、前方縁部２１１）を設けることで、箱状枠体１の強度を高めている。これにより、箱状枠体１への商品仕切り板２の設置安定性が顕著に向上する。
【００１８】
箱状枠体２の裏面には、マグネットが付設されている。これにより、箱状枠体２のスチール棚板への設置安定性が向上し、更に商品仕切り板１の設置安定性が向上する。箱状枠体２は設置する棚板面に１個又は２個組み合わせて使用する。２個以上を使用する場合、側面同士を付き合わせ、左右方向に連続させる。また、箱状枠体２は設置する棚板の奥側に設置することが、陳列面を広く採ることができる点で好ましい。
【００１９】
商品仕切り板１の後方側寄りには、上縁部が切り欠かれてくびれ状１２となっていることが、箱状枠体２に商品仕切り板１を容易に挿入することができる点で好ましい。
【００２０】
次ぎに、商品仕切り板１を箱状枠体２に組み込む方法を説明する。図６に示すように、設置する棚板７の前方には欄干８が設置されている。この欄干８を逃げるために、商品仕切り板１は前方下り傾斜状態で箱状枠体２に挿入される（図６）。この際、商品仕切り板１のくびれ１２により、商品仕切り板１の後方側部分を箱状枠体２に挿入し易くなる。そして、くびれにより生じた後方の突起部分１４が第１縦スリット２７を通過した後は、商品仕切り板１を水平状態に戻して更に、差し込む。これにより、組み付けが完了する（図７）。
【００２１】
商品仕切り装置１０によれば、商品仕切り板１はその後方側の部分が、箱状枠体２の第１縦スリット２７を貫通して、第２縦スリット２８及び第３縦スリット２９に係合するため、商品仕切り板１の振れが少なく、設置安定性に優れる。また、商品仕切り板１は設置面に設置する水平基板を省略したＩ字断面形状であるため、Ｌ字断面形状で問題となる商品の陳列姿勢に悪影響を及ぼさない。また、商品仕切り板１は、前方の支持部材を不要とし、更に係合部などがないため、最前列の陳列商品を見易くする。また、第１縦スリット２７の入口側開口部はアール２７２の形成によりやや広くなっているため、商品仕切り板１の挿入が格段に行い易くなる。
【図面の簡単な説明】
【００２２】
【図１】本実施の形態例の商品仕切り装置の斜視図。
【図２】図１の商品仕切り装置を構成する箱状枠体の拡大図。
【図３】図２の箱状枠体を裏から見た斜視図。
【図４】図２のＢ−Ｂ線に沿って見た部分断面図。
【図５】図２のＡ−Ａ線に沿って見た断面図。
【図６】箱状枠体に商品仕切り板を設置する状況を説明する図。
【図７】箱状枠体に商品仕切り板を設置した後の状態を示す図。
【図８】従来の商品仕切り装置の斜視図。
【符号の説明】
【００２３】
１      商品仕切り板
２      箱状枠体
１０      商品仕切り装置
１１      貫通孔部
１２      くびれ部
２０      棚板
２１      下面部
２２      前面部
２３      上面部
２４      側板
２７      第１縦スリット
２６      （部分）突起
２８      第２縦スリット
２９      第３縦スリット
【図１】
0003126985.tif 000003
【図２】
0003126985.tif 000004
【図３】
0003126985.tif 000005
【図４】
0003126985.tif 000006
【図５】
0003126985.tif 000007
【図６】
0003126985.tif 000008
【図７】
0003126985.tif 000009
【図８】
0003126985.tif 000010